【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
シートが積載されるシート積載手段と、前記シート積載手段に積載されたシートと当接してシートを整合するストッパとを備えたシート積載装置において、
シートを前記ストッパに突き当てる方向に搬送するシート搬送手段と、
前記シート搬送手段と前記ストッパとの間に設けられ、ストッパ方向に搬送されるシートをガイドするガイド手段と、
前記シート積載手段に積載されるシートの積載高さを演算する高さ演算手段と、を備え、
前記シート搬送手段及び前記ガイド手段の前記シート積載手段に積載されるシートに対するシート厚み方向の作用位置は、前記シート搬送手段及び前記ガイド手段のそれぞれに設定された作用圧でシートに作用するよう、前記高さ演算手段によって演算されたシートの積載高さに応じてそれぞれ変更されることを特徴とするシート積載装置。
【請求項２】
前記シート搬送手段により前記ストッパ方向に搬送されるシートを設定された範囲の作用圧で押圧するよう、前記高さ演算手段によって演算されたシートの積載高さに応じて前記シート厚み方向のシート作用位置を変更するように構成されたシート押圧手段を備えたことを特徴とする請求項１記載のシート積載装置。
【請求項３】
前記シート押圧手段の前記シートの厚み方向の作用位置の変更は、前記ガイド手段の前記シート厚み方向の作用位置の変更に連動して行われることを特徴とする請求項２記載のシート積載装置。
【請求項４】
前記シートの積載高さに応じて前記シート搬送手段及び前記ガイド手段の前記シート厚み方向の作用位置をそれぞれ段階的に変更することを特徴とする請求項１乃至３の何れか１項に記載のシート積載装置。
【請求項５】
前記高さ演算手段は、シートの厚み情報、シートの種類を示す坪量情報、シートの画像転写濃度、シート処理情報の少なくとも一つと、シートの排出積載枚数に基づいてシート束の高さを演算することを特徴とする請求項１乃至４の何れか１項に記載のシート積載装置。
【請求項６】
前記高さ演算手段は、前記シート搬送手段及びガイド手段のシート搬送方向の各作用位置におけるシート束の高さをそれぞれ検出する検出部を備えていることを特徴とする請求項１乃至４の何れか１項に記載のシート積載装置。
【請求項７】
前記シート積載手段にシート搬送方向における高さの差があるシートが混載される場合、前記高さ演算手段によって演算された前記シート搬送手段及びガイド手段のシート搬送方向の各作用位置におけるシートの積載高さに応じて前記シート搬送手段及びガイド手段の作用位置をそれぞれ変更することを特徴とする請求項１乃至６の何れか１項に記載のシート積載装置。
【請求項８】
前記シート搬送方向における高さの差があるシートは、折りシートであり、前記折りシートの大きさ、厚み、剛度、画像転写情報、表面抵抗、折り形状、折り位置によって前記シート搬送手段及びガイド手段の作用位置をそれぞれ変更することを特徴とする請求項７記載のシート積載装置。
【請求項９】
シートに画像を形成する画像形成手段を備え、前記画像形成手段によって画像を形成されたシートが積載されることを特徴とする請求項１乃至８のいずれか１項に記載のシート積載装置。
【請求項１０】
前記請求項１乃至８のいずれか１項に記載のシート積載装置と、前記シート積載装置の前記シート積載手段に積載されたシート束を綴じる綴じ手段と、を備えたことを特徴とするシート処理装置。
【請求項１１】
シートが積載されるシート積載手段と、前記シート積載手段に積載されたシートと当接してシートを整合するストッパと、前記シート積載手段に積載されたシート束を綴じる綴じ手段と、を備えたシート処理装置において、
シートを前記ストッパに突き当てる方向に搬送するシート搬送手段と、
前記シート搬送手段と前記ストッパとの間に設けられ、前記ストッパ方向に搬送されるシートをガイドするガイド手段と、
前記シート積載手段に積載されたシートの積載高さを演算する高さ演算手段と、を備え、
前記シート搬送手段及び前記ガイド手段の前記シート積載手段に積載されたシートに対するシート厚み方向の作用位置は、前記シート搬送手段及び前記ガイド手段のそれぞれに設定された範囲の作用圧でシートに作用するよう、前記高さ演算手段によって演算されたシートの積載高さに応じてそれぞれ変更されることを特徴とするシート処理装置。
【請求項１２】
シートに画像を形成する画像形成手段と、前記画像形成手段によって画像を形成されたシートに処理を施す前記請求項１０又は１１に記載のシート処理装置とを備えたことを特徴とする画像形成装置。
【請求項１３】
シートに画像を形成する画像形成手段と、前記画像形成手段によって画像を形成されたシートが積載される請求項１乃至８のいずれか１項に記載のシート積載装置とを備えたことを特徴とする画像形成装置。
【請求項１４】
シートに画像を形成する画像形成手段と、前記画像形成手段によって画像を形成されたシートが積載されるシート積載手段と、前記シート積載手段に積載されたシートと当接してシートを整合するストッパと、を備えた画像形成装置において、
シートを前記ストッパに突き当てる方向に搬送するシート搬送手段と、
前記シート搬送手段と前記ストッパとの間に設けられ、前記ストッパ方向に搬送されるシートをガイドするガイド手段と、
前記シート積載手段に積載されたシートの積載高さを演算する高さ演算手段と、を備え、
前記シート搬送手段及び前記ガイド手段の前記シート積載手段に積載されたシートに対するシート厚み方向の作用位置は、前記シート搬送手段及び前記ガイド手段のそれぞれに設定された範囲の作用圧でシートに作用するよう、前記高さ演算手段によって演算されたシートの積載高さに応じてそれぞれ変更されることを特徴とする画像形成装置。
【手続補正２】
【補正対象書類名】明細書
【補正対象項目名】００１９
【補正方法】変更
【補正の内容】
【００１９】
本発明は、シートが積載されるシート積載手段と、前記シート積載手段に積載されたシートと当接してシートを整合するストッパとを備えたシート積載装置において、シートを前記ストッパに突き当てる方向に搬送するシート搬送手段と、前記シート搬送手段と前記ストッパとの間に設けられ、ストッパ方向に搬送されるシートをガイドするガイド手段と、前記シート積載手段に積載されるシートの積載高さを演算する高さ演算手段と、を備え、前記シート搬送手段及び前記ガイド手段の前記シート積載手段に積載されるシートに対するシート厚み方向の作用位置は、前記シート搬送手段及び前記ガイド手段のそれぞれに設定された作用圧でシートに作用するよう、前記高さ演算手段によって演算されたシートの積載高さに応じてそれぞれ変更されることを特徴とするものである。
【手続補正３】
【補正対象書類名】明細書
【補正対象項目名】００２０
【補正方法】変更
【補正の内容】
【００２０】
また本発明は、シートが積載されるシート積載手段と、前記シート積載手段に積載されたシートと当接してシートを整合するストッパと、前記シート積載手段に積載されたシート束を綴じる綴じ手段と、を備えたシート処理装置において、シートを前記ストッパに突き当てる方向に搬送するシート搬送手段と、前記シート搬送手段と前記ストッパとの間に設けられ、前記ストッパ方向に搬送されるシートをガイドするガイド手段と、前記シート積載手段に積載されたシートの積載高さを演算する高さ演算手段と、を備え、前記シート搬送手段及び前記ガイド手段の前記シート積載手段に積載されたシートに対するシート厚み方向の作用位置は、前記シート搬送手段及び前記ガイド手段のそれぞれに設定された範囲の作用圧でシートに作用するよう、前記高さ演算手段によって演算されたシートの積載高さに応じてそれぞれ変更されることを特徴とするものである。
【手続補正４】
【補正対象書類名】明細書
【補正対象項目名】００２１
【補正方法】変更
【補正の内容】
【００２１】
また本発明は、シートに画像を形成する画像形成手段と、前記画像形成手段によって画像を形成されたシートが積載されるシート積載手段と、前記シート積載手段に積載されたシートと当接してシートを整合するストッパと、を備えた画像形成装置において、シートを前記ストッパに突き当てる方向に搬送するシート搬送手段と、前記シート搬送手段と前記ストッパとの間に設けられ、前記ストッパ方向に搬送されるシートをガイドするガイド手段と、前記シート積載手段に積載されたシートの積載高さを演算する高さ演算手段と、を備え、前記シート搬送手段及び前記ガイド手段の前記シート積載手段に積載されたシートに対するシート厚み方向の作用位置は、前記シート搬送手段及び前記ガイド手段のそれぞれに設定された範囲の作用圧でシートに作用するよう、前記高さ演算手段によって演算されたシートの積載高さに応じてそれぞれ変更されることを特徴とするものである。